(57)【要約】【課題】ディジタル・デレビジョン放送での所望シーンの発生前にその発生を検出する。【解決手段】情報装置(10)において、処理部(112,114)は、現在受信中のディジタル・テレビジョン放送番組のテレビジョン番組情報を取得し、ユーザによって作成された番組情報検索用の１つ以上のキーワードに基づいてテレビジョン番組情報を検索して、テレビジョン番組情報中のテキストと一致する１つ以上のキーワードの中のキーワードを抽出し、抽出したキーワードに基づいてラジオ番組情報を検索して、抽出されたキーワードを含むラジオ番組情報が存在する場合にはそのラジオ放送局のチャンネルの放送信号を受信するようラジオ放送受信機(132)を制御する。判定部(116)は、ラジオ放送受信機によって再生された音声信号において所望の特徴が出現した場合に、所望のシーンらしい状態の発生を表す検出信号または通知信号を生成する。【選択図】図１
2011071613.tif 000002
【特許請求の範囲】
【請求項１】
ディジタル・テレビジョン放送受信機およびデータストリーム復号部と、
ラジオ放送受信機と、
ネットワークにアクセスする通信部と、
前記データストリーム復号部によって復号されて再生された画像信号を表示する表示装置と、
前記データストリーム復号部によって復号されて再生された音声信号に従って音声を発生するスピーカと、
ユーザによって作成された番組情報検索用の１つ以上のキーワードと、前記データストリーム復号部から取得されたテレビジョン番組情報と、前記通信部から取得された現在受信可能な少なくとも１つの放送局のラジオ番組のラジオ番組情報とを記憶する記憶部と、
前記記憶部から現在受信中のテレビジョン番組のテレビジョン番組情報を取得し、前記１つ以上のキーワードに基づいて前記現在受信中のテレビジョン番組のテレビジョン番組情報を検索して、前記現在受信中のテレビジョン番組のテレビジョン番組情報中のテキストと一致する前記１つ以上のキーワードの中のキーワードを抽出し、前記記憶部に格納された前記ラジオ番組情報を取得し、前記抽出したキーワードに基づいて前記ラジオ番組情報を検索して、前記抽出されたキーワードを含むラジオ番組情報の放送局のチャンネルの放送信号を受信するよう前記ラジオ放送受信機を制御する処理部と、
前記ラジオ放送受信機によって受信された音声信号において所望の特徴が出現するかどうかを判定して、前記所望の特徴が出現したと判定された場合に、所望のシーンらしい状態の発生を表す検出信号または通知信号を生成する判定部と、
を具える、情報装置。
【請求項２】
前記所望の特徴は閾値を超える音声の大きさであり、前記判定部は、前記ラジオ放送受信機によって受信された音声信号の音声の大きさが前記閾値を超えるかどうかを判定するものであることを特徴とする、請求項１に記載の情報装置。
【請求項３】
前記所望の特徴は前記記憶部に格納された所望のシーンを表すワードを表す音声の出現であり、前記判定部は、前記ラジオ放送受信機によって受信された音声信号を認識してテキストを生成し、前記テキスト中に前記所望のシーンを表すワードと一致するテキストが出現するかどうかを判定するものであることを特徴とする、請求項１に記載の情報装置。
【請求項４】
前記制御部は、前記検出信号または通知信号の発生に応答して前記表示装置および前記スピーカの少なくとも一方を或る状態に制御し、さらに、前記検出信号または通知信号の発生から時間が経過した後で前記制御された少なくとも一方を元の状態に戻すよう制御するものであることを特徴とする、請求項１乃至４のいずれかに記載の情報装置。
【請求項５】
ディジタル放送受信機およびデータストリーム復号部と、ラジオ放送受信機と、通信部と、表示装置と、スピーカと、処理部とを含む情報装置において、
ユーザによって作成された番組情報検索用の１つ以上のキーワードと、前記データストリーム復号部から取得されたテレビジョン番組情報と、前記通信部から取得された現在受信可能な少なくとも１つの放送局のラジオ番組のラジオ番組情報とを記憶するステップと、
前記記憶部から現在受信中のテレビジョン番組のテレビジョン番組情報を取得し、前記１つ以上のキーワードに基づいて前記現在受信中のテレビジョン番組のテレビジョン番組情報を検索して、前記現在受信中のテレビジョン番組のテレビジョン番組情報中のテキストと一致する前記１つ以上のキーワードの中のキーワードを抽出し、前記記憶部に格納された前記ラジオ番組情報を取得し、前記抽出したキーワードに基づいて前記ラジオ番組情報を検索して、前記抽出されたキーワードを含むラジオ番組情報の放送局のチャンネルの放送信号を受信するよう前記ラジオ放送受信機を制御するステップと、
前記ラジオ放送受信機によって受信された音声信号において所望の特徴が出現するかどうかを判定して、前記所望の特徴が出現したと判定された場合に、所望のシーンらしい状態の発生を表す検出信号または通知信号を生成するステップと、
を前記処理部に実行させるためのプログラム。
【発明の詳細な説明】
【技術分野】
【０００１】
本発明は、ディジタル・テレビジョン放送の所望のシーンらしい状態の検出に関し、特に、対応するラジオ放送からの音声の状態または特徴の検出に基づくディジタル・テレビジョン放送の所望のシーンらしい状態の検出に関する。
【背景技術】
【０００２】
例えば野球およびサッカーなどのライブ（実況中継）のテレビジョン放送の番組の視聴者は、その番組の映像を、例えばテレビジョン装置、テレビジョン機能付きパーソナル・コンピュータまたは携帯電話機のような携帯端末に出力して表示しながら、他の作業を行うことがある。しかし、視聴者はそのような番組のハイライト・シーンを見逃してしまうことがある。それを防止するために、既知のテレビジョン放送記録再生装置では、番組を記録して、その記録後に番組を再生し（play、replay）、または番組の記録中にその番組の先頭から遅延して番組を追いかけ再生することができる。
【０００３】
日本では、２０１１年に地上波アナログ・テレビジョン放送が中止され、地上波ディジタル・テレビジョン放送だけが視聴可能となる予定である。地上波ディジタル・テレビジョン放送では、圧縮された音響／画像データの復元および再生（再生成、reproduce）のための処理によって、地上波アナログ・テレビジョン放送より放送の受信から再生まで約数秒の遅延が生じる。
【０００４】
テレビジョン装置、テレビジョン機能付きパソコン、または特に携帯端末に適したワン・セグメント（ワンセグ）と呼ばれる地上波ディジタル・テレビジョン放送は、その放送規格および携帯端末の処理能力に起因してしばしば再生に長い処理時間を要する。従って、ワン・セグメントのテレビジョン放送では、地上波アナログ放送に対して、再生に約３〜６秒の遅延が生じる。
【０００５】
一方、現在のアナログ・ラジオ放送は、再生に時間遅延がほとんどなく、将来も存続することが決まっている。ワン・セグメントのテレビジョン放送の音響および画像データの再生の時間遅延と比較すると、ディジタル・ラジオ放送では、一般的に、音響データの再生の時間遅延が相対的に短い傾向がある。
【０００６】
既知の放送番組シーン通知システムでは、登録サーバが、通信ネットワークを介して移動端末に接続され、ユーザの放送番組内希望シーンを特定する希望シーン情報を移動端末の通信アドレス情報（電話番号またはメールアドレス、等）とともに登録する。シーン管理サーバは、放送番組内に現れる実シーンのシーン情報を分類管理する。メッセージ送信サーバは、実シーンが希望シーンに該当するか否かをチェックし、該当する場合に、当該ユーザに対して希望シーンの放送が開始されるまたは開始されたことを示すシーン情報を通信ネットワークを介して、またはデータ放送により、移動端末に送信する。このシーン情報の通知に応じて、移動端末のユーザは、チャンネル設定を行うことなく、テレビジョン・オン指示により当該シーンをほぼリアルタイムで視聴できる。
【０００７】
既知の映像音声視聴装置は、テレビ機能と、録画機能と、再生機能と、移動電話機能とを備え、移動電話機に於いて着信が検出された時にテレビジョン機能が動作中の場合は録画動作を開始して録画開始位置を保持する手段と、移動電話機にて着信が検出された時に再生機能が動作中の場合は再生動作を中断して再生中断位置を保持する手段と、移動電話機にて通話が終了すると前記再生中断位置から再生動作を開始し、再生中断位置を保持していない場合は前記録画開始位置から再生動作を開始する手段と、を有する。それによって、テレビジョン視聴中の予期しない中断により見逃した番組を中断時に遡って、視聴できる。
【０００８】
既知の携帯端末装置では、メモリにユーザの所望のキーワードを記憶しておき、制御部は、テレビジョン・ユニットで受信されるテレビジョン放送の音声を、音声認識プログラムに基づいて解析し、そのキーワードが含まれているか否かを検出する。制御部は、ユーザにより指定されたキーワードが検出または放送されるまでの間、そのテレビジョン受信手段で受信されたテレビジョン放送信号の映像の表示を停止して音声のみを出力することで省電力化を図り、上記キーワードが検出または放送された際に、テレビジョン放送の映像及び音声の出力を行う。それによって、デスクワーク等をしながらでも所望のシーンが放送されたタイミングでこれを視聴することができ、テレビジョン放送の視聴時における消費電力を削減できる。
【先行技術文献】
【特許文献】
【０００９】
【特許文献１】国際公開ＷＯ２００５／０２２９１３
【特許文献２】特開２００５−２２３７７８号公報
【特許文献３】特開２００６−１３５９１４号公報
【発明の概要】
【発明が解決しようとする課題】
【００１０】
上述の既知の放送番組シーン通知システムおよび既知の携帯端末装置では、ハイライト・シーンの検出後のシーンしか表示できず、ハイライト・シーンの直前および最初の部分を表示できない。
【００１１】
上述の既知の映像音声視聴装置は、リアルタイムでのハイライト・シーンの見逃し防止に適していない。この装置では、ハイライト・シーンかどうかは、ユーザ自身が判断する必要がある。
【００１２】
発明者たちは、テレビジョン放送の所望のシーンらしい状態を検出したときに、ほぼリアルタイムで所望のシーンらしいシーンの直前および最初の部分を表示することが望ましい、と認識した。
【００１３】
本発明の目的は、例えば携帯端末における例えばワンセグ放送のようなディジタル・デレビジョン放送における所望のシーンらしい状態の発生の前にその所望のシーンらしい状態の発生を検出することである。
【課題を解決するための手段】
【００１４】
本発明の実施形態の一観点（特徴）によれば、情報装置は、ディジタル放送受信機およびデータストリーム復号部と、ラジオ放送受信機と、ネットワークにアクセスする通信部と、そのデータストリーム復号部によって復号されて再生された画像信号を表示する表示装置と、そのデータストリーム復号部によって復号されて再生された音声信号に従って音声を発生するスピーカと、ユーザによって作成された番組情報検索用の１つ以上のキーワードと、そのデータストリーム復号部から取得されたテレビジョン番組情報と、その通信部から取得された現在受信可能な少なくとも１つの放送局のラジオ番組のラジオ番組情報とを記憶する記憶部と、その記憶部から現在受信中のテレビジョン番組のテレビジョン番組情報を取得し、その１つ以上のキーワードに基づいてその現在受信中のテレビジョン番組のテレビジョン番組情報を検索して、その現在受信中のテレビジョン番組のテレビジョン番組情報中のテキストと一致するその１つ以上のキーワードの中のキーワードを抽出し、その記憶部に格納されたそのラジオ番組情報を取得し、その抽出したキーワードに基づいてそのラジオ番組情報を検索して、その抽出されたキーワードを含むラジオ番組情報の放送局のチャンネルの放送信号を受信するようそのラジオ放送受信機を制御する処理部と、そのラジオ放送受信機によって受信された音声信号において所望の特徴が出現するかどうかを判定して、その所望の特徴が出現したと判定された場合に、所望のシーンらしい状態の発生を表す検出信号または通知信号を生成する判定部と、を具えている。
【発明の効果】
【００１５】
本発明の実施形態の一観点によれば、ディジタル・デレビジョン放送における所望のシーンらしい状態が表示される前にその所望のシーンらしい状態の発生を検出することができる。
【図面の簡単な説明】
【００１６】
【図１】図１は、本発明の実施形態による、情報端末または情報処理機器の概略的構成の例を示している。
【図２】図２は、トランスポート・ストリーム（ＴＳ）のフォーマットの例を示している。
【図３】図３は、図１の情報端末におけるテレビジョン放送の受信およびハイライト・シーンの検出および応答動作の概略的フロー図の例を示している。
【図４】図４は、図１の情報端末によって実行される、ハイライト・シーンの検出および応答動作のための概略的フローチャートの例を示している。
【図５】図５は、番組情報処理部によって実行される、図４の或るステップの現在受信中のテレビジョン番組のテレビジョン番組情報を取得して対応する１つ以上の候補キーワードを抽出するためのフローチャートの例を示している。
【図６】図６Ａは、現在受信中の１つの放送局の電子番組案内または電子番組表の例を示している。図６Ｂは、ユーザによって記憶部に予め格納された複数のセットの候補キーワードのテーブルの例を示している。図６Ｃは、図６Ｂの候補キーワード・セットのテーブルから抽出したキーワードの例を示している。
【図７】図７は、番組情報処理部によって実行される、図４の或るステップのラジオ番組情報を取得するためのフローチャートの例を示している。
【図８】図８は、記憶部に予め格納された、ラジオ放送局の電子番組案内または電子番組表を取得するためのＵＲＩまたはアドレスのテーブルと、ラジオ放送受信機に設定されたラジオ・チャンネルのテーブルと、選択キーと周波数および放送局のテーブルの例を示している。
【図９】図９は、番組情報処理部によって要求され記憶部に格納されたＵＲＩのラジオ番組案内または表の例を示している。
【図１０】図１０は、ラジオ制御部によって実行される、図４の或るステップのラジオ放送受信のためのフローチャートの例を示している。
【図１１】図１１は、ラジオ受信に使用され記憶部に格納された、抽出キーワード・テーブル、ラジオ番組案内取得用ＵＲＩのテーブル、一部のラジオ番組案内、ラジオ・チャンネル設定テーブル、選択キーと周波数および放送局のテーブルの例を示している。
【図１２】図１２Ａは、ハイライト検出部によって実行される、図４の或るステップのラジオ番組の音声におけるハイライト・シーンの特徴の検出と、その検出に応答する動作のためのフローチャートの例を示している。図１２Ｂは、受信したラジオ番組の音声電力またはレベルの変化の例を示している。
【図１３】図１３Ａは、ハイライト検出部によって実行される、図４の或るステップのラジオ番組の音声におけるハイライト・シーンの特徴の検出と、その検出に応答する動作のためのフローチャートの別の例を示している。図１３Ｂは、記憶部にユーザによって予め格納されたハイライト・シーンを表すキーワードのテーブルの例を示している。
【図１４】図１４Ａは、制御部またはハイライト検出部によって実行される、図１２Ａの或るステップまたは図１３Ａの或るステップにおけるスピーカの音量設定レベルを制御するためのフローチャートの例を示している。図１４Ｂは、記憶部におけるユーザ設定の音量レベルおよびハイライト・シーン用の設定の例を示している。
【図１５】図１５Ａは、制御部またはハイライト検出部によって実行される、図１２Ａまたは図１３Ａの或るステップにおける表示装置のオン／オフ状態を制御するためのフローチャートの例を示している。図１５Ｂは、記憶部におけるユーザ設定の表示装置のオン／オフ状態およびハイライト・シーン用の設定の例を示している。
【発明を実施するための形態】
【００１７】
発明の目的および利点は、請求の範囲に具体的に記載された構成要素および組み合わせによって実現され達成される。
前述の一般的な説明および以下の詳細な説明は、典型例および説明のためのものであって、本発明を限定するためのものではない。
【００１８】
本発明の非限定的な実施形態を、図面を参照して説明する。図面において、同様のコンポーネントおよび素子には同じ参照番号が付されている。
【００１９】
図１は、本発明の実施形態による、例えば、ラジオ受信機能付きのテレビジョン装置、またはテレビジョン機能およびラジオ受信機能付きの携帯電話機またはノートブック型パーソナル・コンピュータのような情報端末または情報処理機器１０の概略的構成の例を示している。情報端末１０は、ディジタル・テレビジョン放送信号およびアナログ・ラジオ放送信号を受信でき、また、例えばインターネットのようなデータ・ネットワークに接続できる。情報端末１０は、さらにディジタル・ラジオ放送信号を受信してもよい。
【００２０】
情報端末１０は、制御および処理部２０、揮発性メモリおよび不揮発性メモリを含む記憶部１２０、および時計（クロック）１２４を含んでいる。情報端末１０は、さらに、ラジオ放送受信機１３２、テレビジョン放送受信機としてのテレビジョン（ＴＶ）チューナ・モジュール１３６、復号処理部１３８、入力処理部１５４、および表示合成処理部１５８を含んでいる。ラジオ放送受信機１３２およびテレビジョン・チューナ・モジュール１３６は、アンテナＡＮＴ＿Ｂに接続されている。情報端末１０は、さらに、アンテナＡＮＴ＿Ｃに接続された無線送受信機１４２、通信信号処理部１４４、通信用の音声処理部１４６、複数のキー１５２、例えば液晶表示装置のような表示装置１６０、スピーカ（およびレシーバ）（ＳＰＫ）１６２およびマイクロホン１６４を含んでいる。スピーカ１６２は、小型のラウド・スピーカ（ＬＳＰ）と、電話通信のためのレシーバ（ＲＣＶ）とを含んでいる。
【００２１】
制御および処理部２０は、例えばＣＰＵのようなプロセッサ上に実装された制御部１０２、映像処理部１０４、データ放送用の放送データ処理部１０６、表示用の番組情報処理部１０８、および音声（音響）処理部１１０を含んでいる。制御および処理部２０は、さらに、ハイライト検出用の番組情報処理部１１２、ラジオ制御部１１４、およびハイライト検出部（又は判定部）または所望シーン状態検出部（又は判定部）１１６を含んでいる。番組情報処理部１０８と番組情報処理部１１２は、１つの番組情報処理部として一体化されていてもよい。
【００２２】
構成要素１０２〜１１６は１つのユニットであってもよい。構成要素１０２〜１１６、１５４および１５８は、１つのプリント回路板（ＰＣＢ）上に実装してもよい。構成要素１０２〜１１６の機能は、プロセッサ（１０２）にハードウェアの形態で実装しても、またはプロセッサ１０２上にソフトウェアの形態で実装してもよい。
【００２３】
制御部１０２は、構成要素１０４〜１１６、１２０〜１３８、１４２〜１４６、および１５４〜１６２を制御する。記憶部１２０は、プログラム、データ、制御情報、番組情報、キーワード、放送局の識別情報および周波数情報および変調方式識別情報、等を格納する。
【００２４】
時計（クロック）１２４は、時間を測定し、時刻情報およびタイミング信号を発生し、それを制御部１０２、番組情報処理部１１２およびラジオ制御部１１４、等に供給する。制御部１０２の制御機能は、ハードウェアとして制御回路として実装されていても、ソフトウェアとしてプロセッサ上に実装されていてもよい。制御部１０２は、専用の制御回路であっても、記憶部１２０に格納された制御プログラムに従って動作してもよい。構成要素１０４〜１１６は、記憶部１２０に格納された制御プログラムに従って動作してもよい。
【００２５】
入力処理部１５４は、例えばテンキーのようなキー１５２から受け取った操作入力信号に応じて入力データを生成して制御部１０２に供給する。
【００２６】
ラジオ放送受信機１３２は、アンテナＡＮＴ＿Ｂを介して、ユーザによって選択された周波数（チャンネル）のアナログ・ラジオ放送のＲＦ信号を受信して復調し、アナログ音声信号を再生（再生成）する。ラジオ放送受信機１３２は、さらに、アンテナＡＮＴ＿Ｂを介して、ユーザによって選択された周波数（チャンネル）のディジタル・ラジオ放送のＲＦ信号を受信して復調し、ディジタル音声信号を再生し、ディジタル音声信号をアナログ信号に変換してアナログ音声信号を再生してもよい。
【００２７】
ユーザがキー１５２を操作してラジオ放送チャンネル選択データを入力すると、制御部１０２は、それに応答して、ラジオ放送受信機１３２およびスピーカ１６２を起動して、ラジオ放送受信機１３２に所望のチャンネル（周波数）の所望の番組を受信させる。ラジオ放送局のチャンネル周波数に関する情報は、記憶部１２０に格納されている。生成されたアナログ音声信号はスピーカ１６２に供給される。
【００２８】
テレビジョン・チューナ・モジュール１３６は、アンテナＡＮＴ＿Ｂを介して、ユーザによって選択された周波数（チャンネル）のワンセグ放送ＲＦ信号を受信して復調しトランスポート・ストリームのデータ（ＴＳ）を再生する。ワンセグ放送は、ＵＨＦ帯域の１チャンネルのＯＦＤＭ変調による分割された１３セグメント中の１セグメントを用いた、日本のＩＳＤＢ−Ｔ方式の地上ディジタル放送方式である。ワンセグ放送は、移動携帯端末による受信に適している。
【００２９】
ユーザがキー１５２を操作してテレビジョン放送チャンネル選択データを入力すると、制御部１０２は、それに応答して、テレビジョン・チューナ・モジュール１３６を所望のチャンネルを同調させて所望の番組を受信させる。テレビジョン放送局のチャンネル周波数に関する情報は、記憶部１２０に格納されている。制御部１０２は、さらに、番組情報処理部１０８、音声処理部１１０、および表示合成処理部１５８、表示装置１６０およびスピーカ１６２を起動する。
【００３０】
復号（デコーダ）処理部１３８は、再生されたワンセグ放送のトランスポート・ストリーム（ＴＳ）から、映像データストリーム、データ放送データストリーム、番組情報データストリームおよび音声データストリームを分離する。
【００３１】
映像処理部１０４は、復号処理部１３８からの映像データを表示のために調整する。放送データ処理部１０６は、復号処理部１３８からデータ放送データを表示用の画像データに変換する。番組情報処理部１０８は、復号処理部１３８からの番組情報データを表示用の画像データに変換する。音声処理部１１０は、復号処理部１３８からのディジタル音声データをアナログ音声信号に変換し音量および音質を調整する。
【００３２】
表示合成処理部１５８は、映像処理部１０４、放送データ処理部１０６、および番組情報処理部１０８からの映像データ、データ放送データおよび電子番組案内データのいずれか１つ以上のデータを合成して１つの画面（フレーム）データを形成する。但し、表示合成処理部１５８は、映像データ、データ放送データまたは電子番組案内データのいずれか１つだけの画面（フレーム）データを形成することもある。
【００３３】
テレビジョン・チューナ・モジュール１３６および復号処理部１３８がオン状態のときに、ユーザがキー１５２を操作してハイライト検出機能を選択して起動させると、制御部１０２は、制御信号ＣＴＬによって、番組情報処理部１１２、ラジオ制御部１１４およびハイライト検出部１１６を起動する。ハイライト検出機能が起動されると、ラジオ放送受信機１３２は、制御信号ＣＴＬに従ってそのアナログ音声信号をハイライト検出部１１６に供給する。
【００３４】
番組情報処理部１１２は、記憶部１２０に格納された復号処理部１３８からのテレビジョン番組情報データを受け取り、時計１２４の時刻を参照して、現在受信中の番組に対応する候補キーワード・セット（組）の中から適した１つ以上のキーワードを選択して抽出または決定する。また、番組情報処理部１１２は、制御部１０２にラジオ番組案内（表）データの取得を要求し、通信信号処理部１４４によってインターネット上のウェブサイトから受信されまたはダウンロードされたラジオ番組案内データを取得する。ラジオ放送受信機１３２がラジオ番組に加えてラジオ番組情報データを含むディジタル放送信号を受信する場合には、番組情報処理部１１２は、記憶部１２０に格納されたラジオ放送受信機１３２からのラジオ番組情報データを受け取ってもよい。
【００３５】
ラジオ制御部１１４は、時計１２４の時刻を参照して、抽出された１つ以上のキーワードに基づいてラジオ番組案内データを検索して、現在受信中のワンセグ放送番組に対応するラジオ番組の放送局を決定する。さらに、ラジオ制御部１１４は、ラジオ放送局の周波数に関する情報に基づいてその放送局の周波数を決定し、ラジオ放送受信機１３２を起動してその周波数の放送信号を受信させる。この場合、ラジオ放送信号から再生された音声信号は、スピーカ１６２には供給されない。
【００３６】
無線送受信機１４２は、アンテナＡＮＴ＿Ｃを介して、移動電話網の基地局との間でＲＦ信号を送受信して電話通信およびデータ通信を行う。通信信号処理部１４４は、音声処理部１４６からのディジタル音声データをディジタル通話音声データにフォーマット化して送受信機１４２に供給し、送受信機１４２からのフォーマット化されたディジタル通話音声データを非フォーマット化されたディジタル音声データに変換して音声処理部１４６に供給する。
【００３７】
音声処理部１４６は、マイクロホン１６４からのアナログ音声信号をディジタル音声データに変換して通信信号処理部１４４に供給する。音声処理部１４６は、通信信号処理部１４４からのディジタル音声データをアナログ音声信号に変換してスピーカ（レシーバＲＣＶ）１６２に供給する。音声処理部１４６は、通信信号処理部１４４からのディジタル音声データを音声処理部１１０に供給してもよい。この場合、音声処理部１１０は、通信信号処理部１４４からのディジタル音声データをアナログ音声信号に変換してスピーカ（レシーバＲＣＶ）１６２に供給する。
【００３８】
通信信号処理部１４４は、さらに、番組情報処理部１１２または制御部１０２からの要求に従って、基地局を介してインターネット上のウェブサイトにアクセスしてそのウェブサイトからラジオ番組情報データを取得する。通信信号処理部１４４は、取得したラジオ番組情報データを、番組情報処理部１１２に供給し、または直接または制御部１１０を介して記憶部１２０に格納してそのラジオ番組情報データの取得を番組情報処理部１１２に通知する。
【００３９】
表示装置１６０は、例えば液晶表示装置（ＬＣＤ）または有機ＥＬ表示装置であってもよい。
【００４０】
ハイライト検出部１１６は、ラジオ放送受信機１３２からの音声信号に基づいてハイライト・シーンらしい音声または音声状態の発生を検出し、その発生の検出を表す検出信号を制御部１０２に供給し、および／またはその発生の通知を表す通知信号を音声処理部１１０に供給する。その検出信号および／または通知信号は、ハイライト・シーンらしい音声または音声状態の発生を表す表示信号ということもでき、ユーザに対してその発生を知らせるための聴覚的（可聴）または視覚的（可視）表示を生じさせる。制御部１０２は、その検出信号に従って表示装置１６０および／またはスピーカ１６２を制御する。この場合、スピーカ１６２は可変増幅器を含んでいる。また、音声処理部１１０は、その検出の通知を表す信号に従ってハイライト・シーンの検出を表すアナログ音声信号を生成してスピーカ１６２に供給してもよい。その音声信号は、例えば、ビープ音であっても、またはハイライト・シーンの発生を知らせるアナウンス音声であってもよい。
【００４１】
図２は、トランスポート・ストリーム（ＴＳ）のフォーマットの例を示している。トランスポート・ストリームは、複数のＴＳフレームおよび誤り検出および訂正コード（ＥＣＣ）を含んでいる。ＴＳフレームは、パケット・ヘッダおよびパケット・データを含んでいる。パケット・データは、映像データ、データ放送データ、番組情報データ、および／または音声データを含んでいる。
【００４２】
図３は、図１の情報端末１０におけるテレビジョン放送の受信およびハイライト・シーンの検出および応答動作の概略的フロー図の例を示している。
【００４３】
図３を参照すると、ステップ３０２において、テレビジョン（ＴＶ）チューナ・モジュール１３６は、制御部１０２の制御の下で、ユーザのキー１５２の操作に従って選択されたチャンネルに同調して、ワンセグ放送ＲＦ信号を受信してダウンコンバート（周波数逓降）して復調し、トランスポート・ストリーム（ＴＳ）を再生する。
【００４４】
ステップ３０４において、復号処理部１３８は、制御部１０２の制御の下で、トランスポート・ストリーム（ＴＳ）から、映像データストリーム、データ放送データストリーム、番組情報データストリームおよび音声データストリームを分離する。映像データストリームは映像処理部１０４に供給される。データ放送データストリームはデータ放送データ処理部１０６に供給される。番組情報データストリームは番組情報データ処理部１０８に供給される。音声データストリームは音声データ処理部１１０に供給される。復号（デコーダ）処理部１３８は、番組情報データの電子番組案内（ＥＰＧ）データ（タイトル、付加情報）を番組情報処理部１１２にも供給する。番組情報処理部１１２は番組情報データ処理部１０８および／または番組情報処理部１１２によって記憶部１２０に格納される。番組情報データ処理部１０８と番組情報処理部１１２は、上述のように１つの処理部であってもよい。
【００４５】
ステップ３０６において、映像処理部１０４は、制御部１０２の制御の下で、復号処理部１３８から復号された映像データを受け取って一時的に保存し、その画質を調整して、表示合成処理部１５８に供給する。
【００４６】
ステップ３０８において、放送データ処理部１０６は、制御部１０２の制御の下で、復号処理部１３８からテキスト形式のデータ放送データを受け取って一時的に保存し、そのデータを編集してそれを表示用の画像データに変換し、表示合成処理部１５８に供給する。
【００４７】
ステップ３１０において、番組情報処理部１０８は、制御部１０２の制御の下で、復号処理部１３８から番組情報データの電子番組案内（ＥＰＧ）データを受け取って記憶部１２０に保存し、電子番組案内データを編集して表示用の画像データに変換し、表示合成処理部１５８に供給する。ハイライト・シーン検出機能が起動されると、番組情報処理部１１２は、制御部１０２の制御の下で、復号処理部１３８から番組情報データの電子番組案内データを受け取って記憶部１２０に保存してもよい。番組情報処理部１１２は、さらに、時計１２４の時刻を参照して、現在受信中の番組に対応する候補キーワード・セットから１つ以上のキーワードを抽出して決定する。また、番組情報処理部１１２は、制御部１０２の制御の下で、通信信号処理部１４４にラジオ番組案内データの取得を要求し、また、通信信号処理部１４４からインターネット上のウェブサイトから対応するラジオ番組案内データを取得して記憶部１２０に格納する。代替形態として、番組情報処理部１１２は、可能な場合には、ラジオ受信機１３２からディジタル・ラジオ放送番組の番組情報データを受け取って記憶部１２０に保存してもよい。ラジオ制御部１１４は、制御部１０２の制御の下で、時計１２４の時刻を参照して、番組情報処理部１１２によって取得されたラジオ番組案内データを検索して、現在受信中のワンセグ放送番組に対応するラジオ番組が存在するかどうかを判定する。ラジオ番組が存在する場合には、ラジオ制御部１１４は、そのラジオ番組の放送局の周波数を決定し、ラジオ放送受信機１３２を起動しその周波数に同調させる。
【００４８】
ステップ３２０において、表示合成処理部１５８は、制御部１０２の制御の下で、映像処理部１０４、放送データ処理部１０６、および番組情報処理部１０８から映像データ、データ放送データおよび電子番組案内データをそれぞれ受け取って、それらのデータを合成して１つの画面（フレーム）データを形成して表示装置１６０に供給する。
【００４９】
ステップ３２２において、表示装置１６０は、制御部１０２の制御の下で、オン／オフ制御され、表示合成処理部１５８から受け取った画面データを表示する。
【００５０】
ステップ３３２において、音声処理部１１０は、制御部１０２の制御の下で、復号処理部１３８からディジタル音声データを受け取ってそれをアナログ音声信号に変換し音量および音質を調整して、スピーカに供給する。
【００５１】
ステップ３４２において、スピーカ１６２は、制御部１０２の制御の下で、音声処理部１１０からの音声データを音声に変換し調整して音として放出する。
【００５２】
ステップ３４４において、ハイライト・シーン検出機能が起動されると、ハイライト検出部１１６は、ラジオ放送受信機１３２からの音声信号に基づいてハイライト・シーンらしい音声または音声の状態が発生したかどうかを判定する。そのような状態が発生した場合には、ハイライト検出部１１６は、ハイライト・シーンらしい状態の発生を表す検出信号を制御部１０２に供給し、および／またはその状態発生の検出またはその検出の通知を表す信号を音声処理部１１０に供給する。ハイライト検出部１１６は、さらに、その状態発生の検出またはその検出の通知を表す信号を表示合成処理部１５８に供給してもよい。音声処理部１１０は、その検出またはその検出の通知を表す音声信号をスピーカ１６２に供給する。制御部１０２は、その検出信号に従って表示装置１６０およびスピーカ１６２を制御する。表示合成処理部１５８は、その検出またはその検出の通知を表す表示信号をスピーカ１６２に供給する。その検出の通知を表す信号による通知に従って、利用者は、情報端末１０の表示装置１６０の画面を見ると、直ぐにハイライト・シンーンが開始し、従ってハイライト・シーンを見逃すことがない。
【００５３】
ハイライト検出部１１６は、受信ラジオ放送の音声信号の電力（パワー）またはレベル（大きさ）（ｄＢ）が閾値を超えたことを検出したときにハイライト・シーンらしい音声または音声状態の発生を検出してもよい。あるいは、ハイライト検出部１１６は、受信ラジオ放送の音声信号を認識してキーワードに対応する音声を検出することによって、ハイライト・シーンらしい音声または音声状態の発生を検出してもよい。ハイライト検出部１１６は、ハイライト・シーンらしい音声または音声状態の発生の検出に応答して、ハイライト・シーンの発生を表す通知を音声処理部１１０に供給する。音声処理部１１０は、その通知を音声信号に変換してスピーカ１６２に供給し、スピーカ１６２はそれに対応する可聴音（例えば、ビープ音）を放出してもよい。あるいは、ハイライト検出部１１６は、そのような通知を制御部１０２に供給し、制御部１０２は、その通知に応答して、表示装置１６０およびスピーカ１６２の動作を制御してもよい。例えば、制御部１０２は、表示装置１６０をオン状態にし、および／またはスピーカ１６２の出力レベルを所望のレベルに上昇させてもよい。
【００５４】
図４は、図１の情報端末１０によって実行される、ハイライト・シーンの検出および応答動作のための概略的フローチャートの例を示している。
【００５５】
ステップ４０２において、番組情報処理部１１２は、時計１２４の時刻を参照して、復号処理部１３８から現在受信中のテレビジョン番組のテレビジョン番組情報を受け取る。番組情報処理部１１２は、さらに、複数の候補キーワード・セットに基づいてテレビジョン番組情報のテレビジョン番組案内データを検索して、テレビジョン番組案内のテキスト中に対応する１つ以上の候補キーワードと一致するワードが存在するかどうかを判定する。キーワードと一致するワードが存在すると判定された場合には、番組情報処理部１１２は、その対応する１つ以上の候補キーワードを抽出して、対応するラジオ番組の検索のために記憶部１２０に抽出キーワードとして格納する。
【００５６】
ステップ４０４において、番組情報処理部１１２は、記憶部１２０に格納されているＵＲＩを取り出し、制御部１０２にそのＵＲＩのラジオ番組案内データの取得を要求する。制御部１０２は、通信信号制御部１４４にＵＲＩへのアクセスを要求し、通信信号制御部１４４をインターネット上のそのＵＲＩのラジオ番組情報を提供するウェブサイトにアクセスさせる。次いで、制御部１０２は、通信信号制御部１４４にそのラジオ番組案内データをダウンロードさせて記憶部１２０に格納させる。通信信号制御部１４４は、ラジオ番組情報の取得完了を番組情報処理部１１２に通知する。番組情報処理部１１２は、記憶部１２０からラジオ番組案内データを読み出す。代替形態として、番組情報処理部１１２は、通信信号制御部１４４にＵＲＩへのアクセスを要求し、通信信号制御部１４４にそのラジオ番組案内データをダウンロードさせて記憶部１２０に格納させてもよい。代替形態として、ステップ４０４のラジオ番組案内データの取得および記憶部１２０への格納は、図４のハイライト・シーンの検出に関係なく、予め行ってもよい。また、ラジオ放送受信機１３２がディジタル・ラジオ放送信号を受信する場合、テレビジョン番組情報の取得と同様の形態で、ラジオ放送受信機１３２からの現在受信中のラジオ番組のラジオ番組情報を受け取ってもよい。
【００５７】
ステップ４０６において、ラジオ制御部１１４は、記憶部１２０に格納された１つ以上の抽出キーワードに基づいて、記憶部１２０に格納されたラジオ番組案内データを検索して、対応するラジオ番組が存在するかどうかを判定する。対応するラジオ番組が存在すると判定された場合には、手順はステップ４０８に進む。対応するラジオ番組が存在しないと判定された場合には、手順は図４のルーチンを出る。
【００５８】
ステップ４０８において、ラジオ制御部１１４は、対応するラジオ番組の周波数を決定し、ラジオ放送受信機１３２を起動しその周波数の放送信号を受信させる。
【００５９】
ステップ４１０において、ハイライト検出部１１６は、ラジオ放送受信機１３２からラジオ番組の音声信号を受け取って、その音声信号の中からハイライト・シーンの特徴を検出し、その検出に応じて動作する。
【００６０】
ステップ４１２において、制御部１０２または番組情報処理部１１２は、テレビジョン（ＴＶ）チューナ・モジュール１３６が同じチャンネルから同じ番組を受信し続けているかどうか、または番組情報処理部１０８が復号処理部１３８から同じ番組の番組情報を受信し続けているかどうかを判定する。同じ番組の番組情報を受信していないと判定された場合は、手順は図４のルーチンを出る。同じ番組の番組情報を受信していると判定された場合は、手順はステップ４０８に戻る。
【００６１】
図５は、番組情報処理部１１２によって実行される、図４のステップ４０２の現在受信中のテレビジョン番組のテレビジョン番組情報を取得して対応する１つ以上の候補キーワードを抽出するためのフローチャートの例を示している。
【００６２】
図６Ａは、現在受信中の１つの放送局（チャンネル）の電子番組案内または電子番組表の例を示している。図６Ｂは、ユーザによって記憶部１２０に予め格納された複数のセットの候補キーワードのテーブルの例を示している。図６Ｃは、図６Ｂの候補キーワード・セットのテーブルから抽出したキーワードの例を示している。
【００６３】
図５を参照すると、ステップ４３２において、番組情報処理部１１２は、時計１２４の時刻を参照して、復号処理部１３８からテレビジョン番組情報の中から現在受信中のチャンネルの電子番組案内データを受け取る。例えば、図６Ａにおいて、現在受信中のチャンネル４の番組は、時間帯１８：００〜２１：３０のタイトル“プロ野球中継”、“巨人”対“阪神”である。この番組には、付加情報として“過去の対戦成績”、“今日のみどころ”、“出場選手情報”および“解説者情報”が含まれている。
【００６４】
ステップ４３４において、番組情報処理部１１２は、記憶部１２０に格納された複数のセットの候補キーワードのテーブル中に未だ選択していない候補キーワード・セットが存在するかどうかを判定する。例えば、図６Ｂにおいて、候補キーワード・セット＃１〜＃６の中に未選択の候補キーワード・セットが存在すると判定される。未選択の候補キーワード・セットが存在すると判定された場合は、手順はステップ４３６に進む。候補キーワード・セットが存在しないと判定された場合は、手順は図５のルーチンを出る。
【００６５】
ステップ４３６において、番組情報処理部１１２は、候補キーワード・セットのテーブルから順番に従って未選択の１つの候補キーワード・セットを選択する。例えば、図６Ｂにおいて、複数の候補キーワード・セットの中から最初の候補キーワード・セット＃１が選択される。
【００６６】
ステップ４３８において、番組情報処理部１１２は、選択された候補キーワード・セットの中に未選択の候補キーワードが存在するかどうかを判定する。例えば、図６Ｂにおいて、候補キーワード・セット＃１の中に未選択の候補キーワードが存在すると判定される。未選択のキーワードが存在すると判定された場合は、手順はステップ４４０に進む。未選択の候補キーワードが存在しないと判定された場合は、手順はステップ４３４に戻って、次の候補キーワード・セットが選択される。
【００６７】
ステップ４４０において、番組情報処理部１１２は、候補キーワード・セットから順番に従って未選択の１つの候補キーワードを選択する。例えば、図６Ｂにおいて、候補キーワード・セットの中から最初の候補キーワード１“プロ野球”が選択される。
【００６８】
ステップ４４２において、番組情報処理部１１２は、時計１２４の時刻を参照して、選択された候補キーワードについて現在の電子番組案内の番組情報データ（タイトルおよび付加情報）を検索する。例えば、図６Ａにおいて、候補キーワード１“プロ野球”について時間帯１８：００〜２１：３０のテレビジョン番組案内のタイトル“プロ野球中継”、“巨人”対“阪神”が検索される。
【００６９】
ステップ４４４において、番組情報処理部１１２は、選択された候補キーワードが番組情報データ（テキスト）内のワードと一致したかどうかを判定する。例えば、図６Ａにおいて、候補キーワード１“プロ野球”がタイトル中の“プロ野球”と一致する。それが一致したと判定された場合は、手順はステップ４４６に進む。それが一致しなかったと判定された場合は、手順はステップ４３８に戻って、次の候補キーワードが選択される。
【００７０】
ステップ４４６において、番組情報処理部１１２は、一致した候補キーワードを抽出キーワードとして記憶部１２０の抽出キーワードのテーブルに格納する。例えば、図６Ｃにおいて、抽出キーワードとして“プロ野球”が格納される。その後、手順はステップ４３８に戻る。例えば、図６Ｃにおいて、その後、“巨人”および“阪神”が抽出キーワードのテーブルに格納される。
【００７１】
例えば、図６Ｂにおいて、他の候補キーワード・セット＃２〜＃６についても、ステップ４３４〜４４６が実行されるが、選択された候補キーワードが番組情報データ内のワードと一致しないので、抽出されない。
【００７２】
このようにして、電子番組案内データ中に候補キーワードが存在する場合には、１つの候補キーワード・セットの中の１つ以上の候補キーワードが抽出キーワードとして選択される。抽出されたキーワードが複数の候補キーワード・セットに属する場合には、優先度に従って１つだけの候補キーワード・セット中の１つ以上の候補キーワードが抽出キーワードとして選択されてもよい。あるいは、１つの候補キーワード・セット中の最初の候補キーワードが一致した場合に、その候補キーワード・セットに高い優先度を与えてもよい。各候補キーワード・セット中の一致した候補キーワードの数に比例して、各候補キーワード・セットにより高い優先度を与えるものであってもよい。
【００７３】
図７は、番組情報処理部１１２によって実行される、図４のステップ４０４のラジオ番組情報を取得するためのフローチャートの例を示している。
【００７４】
図８は、記憶部１２０に予め格納されている、ラジオ放送局（チャンネル）の電子番組案内または電子番組表を取得するためのＵＲＩまたはアドレスのテーブルと、ラジオ放送受信機１３２に設定されたラジオ・チャンネルのテーブルと、選択キーと周波数および放送局のテーブルの例を示している。図８において、選択キー（番号）と周波数および放送局のテーブルは、受信エリア情報に応じて予め設定される。
【００７５】
図７を参照すると、ステップ４６２において、番組情報処理部１１２は、記憶部１２０に格納された設定ラジオ・チャンネルのテーブルからラジオ放送受信機１３２の現在の受信エリア情報を取り出す。例えば、図８において、現在の受信エリアは“福岡”である。
【００７６】
ステップ４６４において、番組情報処理部１１２は、記憶部１２０のラジオ番組案内取得用ＵＲＩのテーブルに変調方式識別情報（ＡＭ局／ＦＭ局）または周波数帯域が存在するかどうかを判定する。それが存在すると判定された場合は、手順はステップ４６６に進む。それが存在しないと判定された場合は、手順は図７のルーチンを出る。例えば、図８のラジオ番組案内取得用ＵＲＩのテーブルにおいて、変調方式識別情報（ＡＭ局／ＦＭ局）が存在する。
【００７７】
ステップ４６６において、番組情報処理部１１２は、ラジオ番組案内取得用ＵＲＩのテーブルのテーブルから変調方式識別情報を取り出す。例えば、図８において、変調方式識別情報“ＡＭ局”および“ＦＭ局”が取り出される。
【００７８】
ステップ４６８において、番組情報処理部１１２は、ラジオ番組案内取得用ＵＲＩのテーブルに変調方式局識別情報に対応するＵＲＩが存在するかどうかを判定する。それが存在すると判定された場合は、手順はステップ４７０に進む。それが存在しないと判定された場合は、手順は図７のルーチンを出る。例えば、図８において、変調方式識別情報“ＡＭ局”および“ＦＭ局”に対応するＵＲＩが存在する。
【００７９】
ステップ４７０において、番組情報処理部１１２は、ラジオ番組案内取得用ＵＲＩのテーブの変調方式識別情報に対応するＵＲＩを取り出す。例えば、図８において、変調方式識別情報“ＡＭ局”および“ＦＭ局”に対応するＵＲＩが取り出される。
【００８０】
ステップ４７２において、番組情報処理部１１２は、取り出したＵＲＩと共にラジオ番組案内データの取得を求める要求ＲＥＱを制御部１０２または通信信号処理部１４４に供給する。制御部１０２は、その要求に応答して、インターネット上のウェブサイトからＵＲＩで表されるラジオ番組案内データを取得するよう通信信号処理部１４４を制御する。通信信号処理部１４４は、送受信機１４２を介してＵＲＩのラジオ番組案内データをダウンロードして記憶部１２０に格納し、そのラジオ番組案内データの取得を直接または制御部１０２を介して番組情報処理部１１２に通知する。その後、手順は図７のルーチンを出る。
【００８１】
図９は、番組情報処理部１１２によって要求され記憶部１２０に格納されたＵＲＩのラジオ番組案内または表の例を示している。例えば、図９のラジオ番組案内において、受信中の図６Ａのテレビジョン番組に対応するラジオ番組のタイトル“プロ野球”、“巨人”対“阪神”が存在する。
【００８２】
図１０は、ラジオ制御部１１４によって実行される、図４のステップ４０８のラジオ放送受信のためのフローチャートの例を示している。
【００８３】
図１１は、ラジオ受信に使用され、記憶部１２０に格納されている、抽出キーワード・テーブル、ラジオ番組案内取得用ＵＲＩのテーブル、一部のラジオ番組案内、ラジオ・チャンネル設定テーブル、選択キーと周波数および放送局のテーブルの例を示している。
【００８４】
図１０を参照すると、ステップ５０２において、ラジオ制御部１１４は、記憶部１２０から、抽出キーワード・テーブルを取り出す。例えば、図１１において、抽出キーワード“プロ野球”、“巨人”および“阪神”が取り出される。
【００８５】
ステップ５０４において、ラジオ制御部１１４は、記憶部１２０の変調方式識別情報（ＡＭ局／ＦＭ局）が存在するかどうかを判定する。それが存在すると判定された場合は、手順はステップ５０６に進む。それが存在しないと判定された場合は、手順は図１０のルーチンを出る。例えば、図１１において、変調方式識別情報“ＡＭ局”および“ＦＭ局”が存在する。
【００８６】
ステップ５０６において、ラジオ制御部１１４は、ラジオ・チャンネル設定テーブルの中に未検索の放送局が存在するかどうかを判定する。それが存在すると判定された場合は、手順はステップ５０８に進む。それが存在しないと判定された場合は、手順はステップ５０４に戻って、次の変調方式識別情報が存在するかどうかが判定される。
【００８７】
ステップ５０８において、ラジオ制御部１１４は、記憶部１２０から未検索の放送局のラジオ番組案内データを取り出し、時計１２４の時刻を参照して、抽出キーワードについて現在の時間帯のラジオ番組案内データを検索する。例えば、図１１において、抽出キーワード“プロ野球”、“巨人”および“阪神”について、時間帯１８：００〜２１：００のＡＭ局のラジオ番組案内データが検索される。
【００８８】
ステップ５１０において、ラジオ制御部１１４は、全ての抽出キーワードがラジオ番組案内データ中のいずれかのワードと一致するかどうか、即ち全ての抽出キーワードがラジオ番組案内データ中に存在するかどうかを判定する。例えば、図１１において、全ての抽出キーワードは放送局“ＲＫＢ”の番組案内データのいずれかのワードと一致する。キーワードが一致すると判定された場合は、手順はステップ５１２に進む。キーワードが一致しないと判定された場合は、手順はステップ５０６に戻って、未検索の放送局が存在するかどうかが判定される。
【００８９】
ステップ５１０において、ラジオ制御部１１４は、抽出キーワードが一致した番組の放送局の周波数にラジオ放送受信機１３２を同調させてその番組を受信する。例えば、図１１において、ラジオ放送受信機１３２は、ＡＭ局の放送局“ＲＫＢ”の周波数“１２７８”Ｈｚに同調される。その後、手順は図１０のルーチンを出る。
【００９０】
このようにして、キーワードに基づくテレビジョンおよびラジオ番組案内情報の検索によって、受信中のテレビジョン番組に対応するラジオ番組が存在する場合には、現在受信中のテレビジョン番組に対応するラジオ番組を決定して、そのラジオ番組をラジオ放送受信機１３２によって受信させる。
【００９１】
図１２Ａは、ハイライト検出部１１６によって実行される、図４のステップ４１０のラジオ番組の音声におけるハイライト・シーンの特徴の検出と、その検出に応答する動作のためのフローチャートの例を示している。図１２Ｂは、受信したラジオ番組の音声電力またはレベル（ｄＢ）ＶSの変化の例を示している。
【００９２】
図１２Ａを参照すると、ステップ５３２において、ハイライト検出部１１６は、ラジオ放送受信機１３２からのラジオ番組の音声電力またはレベル（ｄＢ）ＳRを検出する。
【００９３】
ステップ５３４において、ハイライト検出部１１６は、ラジオ番組の音声電力またはレベル（ｄＢ）ＳRを記憶部１２０における閾値ＳTHと比較する。閾値ＳTHは、ユーザによって予め設定されてもよい。閾値ＳTHは、或る時間長さ（例えば、１分間）の音声電力またはレベル（ｄＢ）の平均値Ｓａｖに対する相対的な値（例えば＋１ｄＢ）であってもよい。スポーツ番組のライブ（実況中継）番組では、ハイライト・シーンにおいて、発言者や観戦者が大きい声または音を出すことが多いので、このような音声電力またはレベル（ｄＢ）の閾値処理によって、ハイライト・シーンを効果的に検出することができる。
【００９４】
ステップ５３６において、ハイライト検出部１１６は、ハイライト・シーンを検出したことを表す音声信号を可聴的にスピーカ１６２に供給する。その音声信号は、ビープ音であってもよい。ハイライト検出部１１６は、ハイライト・シーンを検出したことを表す検出信号を制御部１０２に供給してもよい。ユーザはそのビープ音を聴いたときにハイライト・シーンが発生したことを知り、キー１５２を操作して表示装置１６０およびスピーカ１６２から出力されるディジタル・テレビジョン放送の番組を視聴する。地上波ディジタル放送であるワンセグ放送信号のトランスポート・ストリームの復号は、アナログ・ラジオ放送信号の再生よりも音声および画像の再生に数秒の遅延が生じるので、ユーザがハイライト・シーンを視聴し損なうことを防止できる。
【００９５】
この実施形態では、ラジオ放送は、アナログ・ラジオ放送として説明している。ディジタル・ラジオ放送信号は、画像信号を含まず主として音声信号だけの放送データを含んでいる。従って、将来においてアナログ・ラジオ放送がディジタル・ラジオ放送に移行した場合でも、ディジタル・ラジオ放送信号の音声信号の復号および再生は、ディジタル・テレビジョン放送の画像および音声信号の復号および再生よりも遅延時間が短い傾向があるので、アナログ・ラジオ放送の場合と同様の処理が可能である。
【００９６】
代替形態として、制御部１０２は、その検出信号に応答して、表示装置１６０をオン状態にする制御信号ＣＴＬを表示装置１６０に供給し、および／またはスピーカ１６２の出力レベルを大きくする制御信号ＣＴＬをスピーカ１６２に供給してもよい。それによって、オフ状態にあった表示装置１６０にテレビジョン番組のハイライト・シーンの画像が表示され、低い音声レベルに設定されたスピーカ１６２の音声レベルが大きくされてスピーカ１６２からハイライト・シーンの音声が放出される。その後、手順は図１２のルーチンを出る。
【００９７】
図１３Ａは、ハイライト検出部１１６によって実行される、図４のステップ４１０のラジオ番組の音声におけるハイライト・シーンの特徴の検出と、その検出に応答する動作のためのフローチャートの別の例を示している。図１３Ｂは、記憶部１２０にユーザによって予め格納されたハイライト・シーンを表すキーワードのテーブルの例を示している。
【００９８】
図１３Ａを参照すると、ステップ５５２において、ハイライト検出部１１６は、ラジオ番組の音声を認識して、認識されたワードのテキストを生成する。
【００９９】
ステップ５５４において、ハイライト検出部１１６は、記憶部１２０からハイライト・シーンを表すキーワード・テーブルを取り出す。
【０１００】
ステップ５５６において、ハイライト検出部１１６は、キーワード・テーブル中に未検索のキーワードが存在するかどうかを判定する。未検索のキーワードが存在すると判定された場合は、手順はステップ５５８に進む。未検索のキーワードが存在しないと判定された場合は、手順は図１３Ａのルーチンを出る。
【０１０１】
ステップ５５８において、ハイライト検出部１１６は、テキスト中のワードを順次各キーワードと照合する。例えば、図１３Ｂにおいて、テキス中のワードを各キーワード“ホームラン”、“ヒット”、・・・と照合する。
【０１０２】
ステップ５６０において、ハイライト検出部１１６は、テキスト中のワードがキーワードと一致するかどうかを判定する。それらが一致すると判定された場合は、手順はステップ５６２に進む。それらが一致しないと判定された場合は、手順はステップ５５４に戻る。例えば、テキスト中にワード“ホームラン”が出現した場合に、それがキーワードと一致したと判断される。
【０１０３】
ステップ５６２は、図１２Ａのステップ５３６と同様である。
【０１０４】
図１２Ａおよび１２Ｂにおけるハイライト・シーンの特徴の検出と、図１３Ａ、１３Ｂにおけるハイライト・シーンの特徴の検出とを組み合わせてもよい。即ち、ラジオ音声信号の電力またはレベル（ｄＢ）が閾値を超え、および／またはラジオ音声信号認識してハイライト・シーンを表すキーワードの発生が検出されたときに、ハイライト検出部１１６は、ハイライト・シーンを検出したことを表す検出信号を発生してもよい。
【０１０５】
図１４Ａは、制御部１０２またはハイライト検出部１１６によって実行される、図１２Ａのステップ５３６または図１３Ａのステップ５６２におけるスピーカ１６２の音量設定レベル（電力）を制御するためのフローチャートの例を示している。図１４Ｂは、記憶部１２０におけるユーザ設定の音量レベルおよびハイライト・シーン用の設定の例を示している。
【０１０６】
図１４Ａを参照すると、ステップ５７２において、制御部１０２またはハイライト検出部１１６は、ハイライト・シーンが検出されたかどうかを判定する。ハイライト・シーンが検出されたと判定された場合は、手順はステップ５８４に進む。ハイライト・シーンが検出されるまで、ステップ５７２は繰り返される。
【０１０７】
ステップ５７４において、制御部１０２は、ハイライト検出部１１６からのハイライト・シーンの検出信号に応答して、記憶部１２０から、ユーザによって設定された音量設定レベルＶｏｌU、現在の音量設定レベルＶｏｌC、ユーザによって予め設定されたハイライト・シーン用の音量設定レベルＶｏｌHLを取り出す。例えば、図１４Ｂにおいて、音量設定レベルＶｏｌUはレベル“３”であり、現在の音量設定レベルＶｏｌCはレベル“３”であり、ハイライト・シーン用の音量設定レベルＶｏｌHLは“７”である。
【０１０８】
ステップ５７６において、制御部１０２は、現在の音量設定レベルＶｏｌCがハイライト・シーン用の音量設定レベルＶｏｌHL以上かどうかを判定する。例えば、図１４Ｂにおいて、現在の音量設定レベルＶｏｌHL“３”は、ハイライト・シーン用の音量設定レベルＶｏｌHL“７”以上でなく、それより低い。音量設定レベルＶｏｌCが音量設定レベルＶｏｌHL以上でないと判定された場合は、手順はステップ５７６に進む。音量設定レベルＶｏｌCが音量設定レベルＶｏｌHL以上であると判定された場合は、手順は図１４Ａのルーチンを出る。例えば、図１４Ｂにおいて、現在の音量設定レベルＶｏｌC“３”はハイライト・シーン用の音量設定レベルＶｏｌHL“７”より低い。
【０１０９】
ステップ５７８において、制御部１０２は、ハイライト・シーン用の音量設定レベルＶｏｌHLを現在の音量設定レベルＶｏｌCに設定する。それによって、スピーカ１６２はハイライト・シーン用の音量設定レベルＶｏｌHLに設定される。例えば、図１４Ｂにおいて、現在の音量設定レベルＶｏｌC“３”はハイライト・シーン用の音量設定レベルＶｏｌHL“７”に変更されて、スピーカ１６２の出力音声レベルが高くされる。
【０１１０】
ステップ６０２において、制御部１０２は、記憶部１２０のハイライト・シーン用の設定時間Ｔを内部タイマ（制御部１０２）の残り時間に設定し、時計１２４の現在の時刻を記録する。例えば、図１４Ｂにおいて、残り時間に“２分”が設定される。内部タイマは、周期的にその設定時刻と時計１２４の現在の時刻を比較して経過時間を計数し残り時間をカウント・ダウンしまたは更新する。
【０１１１】
ステップ６０４において、その後、別のハイライト・シーンが検出されたかどうかを判定する。ハイライト・シーンが検出されたと判定された場合は、手順はステップ６０２に戻る。ステップ６０２において、制御部１０２は、記憶部１２０のハイライト・シーン用の設定時間Ｔを内部タイマの残り時間に再度設定する。ステップ６０４においてハイライト・シーンが検出されなかったと判定された場合は、手順はステップ６０６に進む。代替形態として、ステップ６０２の後、手順は破線矢印で示されているように、ステップ６０４をスキップしてステップ６０６に進んでもよい。
【０１１２】
ステップ６０６において、制御部１０２は、タイマの残り時間Ｔを参照して、時間Ｔが経過したかどうかを判定する。時間Ｔが経過したと判定された場合は、手順はステップ５８２に進む。ステップ６０４および６０６は、時間Ｔが経過するまで繰り返される。
【０１１３】
ステップ６１０において、制御部１０２は、ユーザ設定の音量設定レベルＶｏｌUを現在の音量設定レベルＶｏｌCに設定する。例えば、図１４Ｂにおいて、現在の音量設定レベルＶｏｌC“７”はユーザ設定の音量設定レベルＶｏｌU“３”に変更される。それによって、スピーカ１６２の出力音声レベルが前の低い状態に戻され、ユーザは、他の作業に専念できる。
【０１１４】
このように、スピーカ１６２の現在の音量設定レベルＶｏｌCをハイライト・シーン用の設定時間Ｔだけ望ましい高いレベルにすることによって、ユーザがハイライト・シーンの音声を聴取し損なうのが防止される。
【０１１５】
図１５Ａは、制御部１０２またはハイライト検出部１１６によって実行される、図１２Ａのステップ５３６または図１３Ａのステップ５６２における表示装置１６０のオン／オフ状態を制御するためのフローチャートの例を示している。図１５Ｂは、記憶部１２０におけるユーザ設定の表示装置５６２のオン／オフ状態およびハイライト・シーン用の設定の例を示している。
【０１１６】
図１５Ａを参照すると、ステップ５７２は図１４Ａのものと同様である。
【０１１７】
ステップ５８４において、制御部１０２は、ハイライト検出部１１６からのハイライト・シーンの検出信号に応答して、記憶部１２０から、ユーザによって設定された表示設定ＤU、現在の表示設定ＤC、ユーザによって予め設定されたハイライト・シーン用の表示設定ＤHLを取り出す。例えば、図１５Ｂにおいて、表示設定ＤUは“オフ”であり、現在の表示設定ＤCは“オフ”であり、ハイライト・シーン用の表示設定ＤHLは“オン”である。
【０１１８】
ステップ５８６において、制御部１０２は、現在の表示設定ＤCがハイライト・シーン用の表示設定ＤHLと等しいかどうかを判定する。例えば、図１５Ｂにおいて、現在の表示設定ＤC“オフ”は、ハイライト・シーン用の表示設定ＤHL“オン”と異なる。表示設定ＤCが表示設定ＤHLと等しくないと判定された場合は、手順はステップ６０６に進む。表示設定ＤCが表示設定ＤHLと等しいと判定された場合は、手順は図１５Ａのルーチンを出る。
【０１１９】
ステップ５８８において、制御部１０２は、ハイライト・シーン用の表示設定ＤHLを現在の表示設定ＤCに設定する。
【０１２０】
ステップ６０２〜６０６は、図１４Ａのものと同様である。
【０１２１】
ステップ６０６のＹＥＳ（肯定）分枝の後のステップ６２０において、制御部１０２は、ユーザ設定の表示設定ＤUを現在の表示設定ＤCに設定する。例えば、図１５Ｂにおいて、現在の表示設定ＤC“オン”はユーザ設定の表示設定ＤU“オフ”に変更される。それによって、表示装置１６０の動作状態が前のオフ状態に戻され、ユーザは、他の作業に専念できる。
【０１２２】
このように、表示装置１６０の現在の表示設定ＤCをハイライト・シーン用の設定時間Ｔだけオン状態に変更することによって、ユーザがハイライト・シーンを見損なうのが防止される。
【０１２３】
上述の例におけるアナログ・ラジオ放送の音声信号の代わりに、ディジタル・ラジオ放送の音声信号においてハイライト・シーンを検出してもよい。ディジタル・ラジオ放送の音声信号の受信・再生にかかる時間（時間遅延）が、ディジタル・テレビジョン放送の受信・再生にかかる時間（時間遅延）より短い場合には、アナログ・ラジオ放送の音声信号における場合と同様に、ディジタル・ラジオ放送の音声信号においてもハイライト・シーンを検出することができる。
【０１２４】
ここで挙げた全ての例および条件的表現は、発明者が技術促進に貢献した発明および概念を読者が理解するのを助けるためのものであり、ここで具体的に挙げたそのような例および条件に限定することなく解釈すべきである。また、明細書におけるそのような例の編成は本発明の優劣を示すこととは関係ない。本発明の実施形態を詳細に説明したが、本発明の精神および範囲から逸脱することなく、それに対して種々の変更、置換および変形を施すことができると理解すべきである。
【０１２５】
以上の実施例を含む実施形態に関して、さらに以下の付記を開示する。
（付記１）  ディジタル・テレビジョン放送受信機およびデータストリーム復号部と、
ラジオ放送受信機と、
ネットワークにアクセスする通信部と、
前記データストリーム復号部によって復号されて再生された画像信号を表示する表示装置と、
前記データストリーム復号部によって復号されて再生された音声信号に従って音声を発生するスピーカと、
ユーザによって作成された番組情報検索用の１つ以上のキーワードと、前記データストリーム復号部から取得されたテレビジョン番組情報と、前記通信部から取得された現在受信可能な少なくとも１つの放送局のラジオ番組のラジオ番組情報とを記憶する記憶部と、
前記記憶部から現在受信中のテレビジョン番組のテレビジョン番組情報を取得し、前記１つ以上のキーワードに基づいて前記現在受信中のテレビジョン番組のテレビジョン番組情報を検索して、前記現在受信中のテレビジョン番組のテレビジョン番組情報中のテキストと一致する前記１つ以上のキーワードの中のキーワードを抽出し、前記記憶部に格納された前記ラジオ番組情報を取得し、前記抽出したキーワードに基づいて前記ラジオ番組情報を検索して、前記抽出されたキーワードを含むラジオ番組情報の放送局のチャンネルの放送信号を受信するよう前記ラジオ放送受信機を制御する処理部と、
前記ラジオ放送受信機によって受信された音声信号において所望の特徴が出現するかどうかを判定して、前記所望の特徴が出現したと判定された場合に、所望のシーンらしい状態の発生を表す検出信号または通知信号を生成する判定部と、
を具える、情報装置。
（付記２）  前記所望の特徴は閾値を超える音声の大きさであり、前記判定部は、前記ラジオ放送受信機によって受信された音声信号の音声の大きさが前記閾値を超えるかどうかを判定するものであることを特徴とする、付記１に記載の情報装置。
（付記３）  前記所望の特徴は前記記憶部に格納された所望のシーンを表すワードを表す音声の出現であり、前記判定部は、前記ラジオ放送受信機によって受信された音声信号を認識してテキストを生成し、前記テキスト中に前記所望のシーンを表すワードと一致するテキストが出現するかどうかを判定するものであることを特徴とする、付記１に記載の情報装置。
（付記４）  前記検出信号または通知信号は、前記スピーカに、前記所望のシーンらしい状態の発生を表す音響または音声を発生させるためのものであることを特徴とする、付記１乃至３のいずれかに記載の情報装置。
（付記５）  前記検出信号または通知信号は、前記表示装置および前記スピーカの少なくとも一方を制御するためのものであることを特徴とする、付記１乃至４のいずれかに記載の情報装置。
（付記６）  前記制御部は、前記検出信号または通知信号の発生に応答して前記表示装置および前記スピーカの少なくとも一方を或る状態に制御し、さらに、前記検出信号または通知信号の発生から時間が経過した後で前記制御された少なくとも一方を元の状態に戻すよう制御するものであることを特徴とする、付記１乃至４のいずれかに記載の情報装置。
（付記７）  前記ラジオ放送受信機は、アナログ・ラジオ放送を受信するものであることを特徴とする、付記１乃至７のいずれかに記載の情報装置。
（付記８）  ディジタル放送受信機およびデータストリーム復号部と、ラジオ放送受信機と、通信部と、表示装置と、スピーカと、処理部とを含む情報装置において、
ユーザによって作成された番組情報検索用の１つ以上のキーワードと、前記データストリーム復号部から取得されたテレビジョン番組情報と、前記通信部から取得された現在受信可能な少なくとも１つの放送局のラジオ番組のラジオ番組情報とを記憶するステップと、
前記記憶部から現在受信中のテレビジョン番組のテレビジョン番組情報を取得し、前記１つ以上のキーワードに基づいて前記現在受信中のテレビジョン番組のテレビジョン番組情報を検索して、前記現在受信中のテレビジョン番組のテレビジョン番組情報中のテキストと一致する前記１つ以上のキーワードの中のキーワードを抽出し、前記記憶部に格納された前記ラジオ番組情報を取得し、前記抽出したキーワードに基づいて前記ラジオ番組情報を検索して、前記抽出されたキーワードを含むラジオ番組情報の放送局のチャンネルの放送信号を受信するよう前記ラジオ放送受信機を制御するステップと、
前記ラジオ放送受信機によって受信された音声信号において所望の特徴が出現するかどうかを判定して、前記所望の特徴が出現したと判定された場合に、所望のシーンらしい状態の発生を表す検出信号または通知信号を生成するステップと、
を前記処理部に実行させるためのプログラム。
【符号の説明】
【０１２６】
１０  情報端末
１０２  制御部
１１２  番組情報処理部
１１４  ラジオ制御部
１１６  ハイライト検出部
１２４  時計（クロック）
１２０  記憶部
１３２  ラジオ放送受信機
１３６  テレビジョン・チューナ・モジュール
１３８  復号処理部
１４２  送受信機
１６０  表示装置
１６２  スピーカ（レシーバ）
【図１】
2011071613.tif 000003
【図２】
2011071613.tif 000004
【図３】
2011071613.tif 000005
【図４】
2011071613.tif 000006
【図５】
2011071613.tif 000007
【図６】
2011071613.tif 000008
【図７】
2011071613.tif 000009
【図８】
2011071613.tif 000010
【図９】
2011071613.tif 000011
【図１０】
2011071613.tif 000012
【図１１】
2011071613.tif 000013
【図１２】
2011071613.tif 000014
【図１３】
2011071613.tif 000015
【図１４】
2011071613.tif 000016
【図１５】
2011071613.tif 000017